(57)【要約】医療装置に対する接着裏地は、接着側面及び対向する非接着側面を有するコンフォーマブルフィルム裏地、フィルム裏地の非接着側面上に配置される複数要素支持体、及び、フィルム裏地の接着側面上に配置されるリリースライナーを有する。
2009508561.tif 000002
【特許請求の範囲】
【請求項１】
身体機能を検出するよう身体に取り付けられ且つ接着裏地を有する、医療装置であって：
接着側面及び対向する非接着側面を有するコンフォーマブルフィルム裏地と、
該フィルム裏地の前記非接着側面上に配置される複数要素支持体と、
前記フィルム裏地の前記接着側面上に配置されるリリースライナーと、
を有する、
医療装置。
【請求項２】
前記複数要素支持体は、除去可能である、
請求項１記載の装置。
【請求項３】
前記複数要素支持体は、前記コンフォーマブルフィルム裏地のクラフト紙基材から形成される複数要素支持体を有する、
請求項２記載の装置。
【請求項４】
前記クラフト紙は、シリコンリリース剤を有してコーティングされる、
請求項３記載の装置。
【請求項５】
前記複数要素支持体は、ポリマフィルムから形成される複数要素支持体を有する、
請求項２記載の装置。
【請求項６】
前記ポリマフィルムは、シリコンリリース剤を有してコーティングされる、
請求項５記載の装置。
【請求項７】
前記ポリマフィルムは、ポリエチレン、ポリプロピレン、及びポリエステルのうち少なくとも１つを有する、
請求項５記載の装置。
【請求項８】
前記フィルム裏地は、周囲を有し、
前記複数要素支持体は、前記フィルム裏地の前記周囲に沿って位置付けられる複数の別個の要素を有する、
請求項２記載の装置。
【請求項９】
前記複数の別個の要素は、前記周囲の一部に応じて形成される周縁エッジを有する少なくとも１つの要素を有する、
請求項８記載の装置。
【請求項１０】
前記周囲によって画定される前記フィルム裏地の内側領域は、露出される、
請求項８記載の装置。
【請求項１１】
前記複数要素支持体は更に、前記周囲によって画定される前記フィルム裏地の内側領域において位置付けられる少なくとも１つの別個の要素を有する、
請求項８記載の装置。
【請求項１２】
前記複数要素支持体は、丸みを帯びた角部を有する複数の別個の要素を有する、
請求項２記載の装置。
【請求項１３】
前記フィルム裏地の周縁エッジに沿って位置付けられる少なくとも１つのタブを更に有する、
請求項２記載の装置。
【請求項１４】
前記フィルム裏地の前記周縁エッジに沿って位置付けられる前記タブは、前記接着側面上に位置決めされる、
請求項１３記載の装置。
【請求項１５】
前記タブは、前記接着側面から除去可能である、
請求項１４記載の装置。
【請求項１６】
前記タブは、前記複数要素支持体の第１の別個の要素と第２の別個の要素との間における空間に応じて前記接着側面上に位置付けられる、
請求項１３記載の装置。
【請求項１７】
前記タブは、前記複数要素支持体の第１及び第２の別個の要素に対して取り付けられる、
請求項１３記載の装置。
【請求項１８】
身体機能を検出するよう身体に対して取り付けられる医療装置に対する接着裏地を形成する方法であって：
非接着側面上の基材及び接着側面上のリリースライナーを有するフィルム裏地を与える段階と；
前記基材の除去可能部分及び残余部分を与えるよう前記基材を切断する段階と；
前記基材の前記除去可能部分を除去する段階と；
前記接着フィルム裏地を周縁エッジを有する形状に切断し、それによって前記基材の前記残余部分から前記接着フィルム裏地に対する支持体を形成する段階と、
を有し、
前記非接着側面及び接着側面は、前記フィルム裏地の対向する側面上にあり、
前記支持体は、複数の非隣接部を有する、
方法。
【請求項１９】
前記基材の前記除去可能部分を除去する段階は、前記基材の連続的な要素として２つ又はそれより多い接着裏地から前記基材の除去可能部分を除去する段階を有する、
請求項１８記載の方法。
【請求項２０】
前記基材を切断する段階と、前記基材の前記除去可能部分を除去する段階と、前記接着フィルム裏地をある形状に切断する段階とは、前記形状の前記周縁エッジに沿って位置付けられる複数の非隣接部を与える、
請求項１８記載の方法。
【請求項２１】
前記形状の前記周縁エッジに沿って位置付けられる前記複数の非隣接部の少なくとも１つは、前記形状の前記周縁エッジに対応する周縁エッジを有するよう切断される、
請求項２０記載の方法。
【請求項２２】
前記基材を切断する段階と、前記基材の前記除去可能部分を除去する段階と、前記接着フィルム裏地をある形状に切断する段階とは、前記フィルム裏地の内側領域を露出させる、
請求項２０記載の方法。
【請求項２３】
前記基材を切断する段階と、前記基材の前記除去可能部分を除去する段階と、前記接着フィルム裏地をある形状に切断する段階とは、更に、前記フィルム裏地の内側領域において位置付けられる非隣接部分を与える、
請求項２０記載の方法。
【請求項２４】
前記基材を切断する段階と、前記基材の前記除去可能部分を除去する段階と、前記接着フィルム裏地をある形状に切断する段階とは、角を丸められた複数の非隣接部分を与える、
請求項１８記載の方法。
【請求項２５】
前記フィルム裏地の周縁エッジに沿って位置付けられる少なくとも１つのタブを与える段階を更に有する、
請求項１８記載の方法。
【請求項２６】
少なくとも１つのタブを与える段階は、前記接着側面上にタブを与えることを有する、
請求項２５記載の方法。
【請求項２７】
前記接着側面上のタブは、除去可能である、
請求項２６記載の方法。
【請求項２８】
前記タブは、前記複数の非隣接部分の第１の部分と第２の部分との間における空間に対応して前記接着側面上に位置付けられる、
請求項２６記載の方法。
【請求項２９】
前記タブは、前記複数の非隣接部分の第１の部分と第２の部分との間に対して取り付けられる、
請求項２５記載の方法。
【発明の詳細な説明】
【技術分野】
【０００１】
本発明は、全体的に、患者の身体に対して取り付ける加圧で接着する接着裏地を有する医療装置に係る。より特には、本発明は、取扱いに対して与えられ且つ裏地の適用を容易にするよう与えられる複数要素支持体（ｍｕｌｔｉ−ｐｉｅｃｅ  ｓｕｐｐｏｒｔ）を有する接着裏地を有する医療装置に係る。
【背景技術】
【０００２】
０．００１インチを下回る厚さから０．００３インチまでの厚さであるポリウレタンフィルム、及び０．００５インチ乃至０．０１５インチの厚さである薄いポリウレタンフォーム等である、薄いフィルムは、創部ケア包帯、皮膚上へと袋や機器を保持するよう使用されるパッチ、及び医療用接着裏地に対する他の適用等である、皮膚に対する適用に対して効果的な材料である。図１は、患者１０２の皮膚に対して適用される医療用用途の裏地１０６を示す。フィルムがより高い水蒸気伝達速度（ＭＶＴＲ）を有するため、身体の水分は、皮膚からパッチの外へと通過し得る。また、かかるフィルムは、外部の水蒸気をパッチへと入れないため、乾燥した皮膚表面を維持することによって皮膚のかぶれを最小限に抑える役割を果たす。加えて、かかるフィルムは、薄く可撓性のある特性により、皮膚と共に伸縮し、ユーザが動いたり、屈曲したり、伸びたりする際に、ユーザに視覚的に気付かれ得ないままである。
【０００３】
かかるフィルムを皮膚への適用に対して理想的なものとする同一の薄く可撓性のある特性はまた、皮膚に対する適用及び取扱いにおいて課題をもたらす。追加的な支持体が無いと、該フィルムは、リリースライナーから除去されると、皺になり、折り畳まれ、また巻き上がる。
【０００４】
リリースライナーから離れての管理容易性及び取扱い性を高めるよう、複数の電流パッチ設計は、薄いフィルムの非接着表面に対してフレームを加えている。このフレーム材料は、基材（キャリア、ｃａｒｒｉｅｒ）から形成される。基材は通常、厚さ０．００２インチ乃至０．００５インチのリリースライナーであり、その上方にフィルムが成型及び硬化される。パッチ製造工程中、ウィンドウは、このライナーを通りフィルムの上部表面まで「キスカット」され、厚い外側縁部を残して除去される。この縁部又はフレームは、フィルムを支持し、のちにリリースライナーから除去されて皮膚に適用される際にフィルムが屈曲又はしわ寄せすることなく容易に取り扱われるようにする。皮膚上では、フレームは、注意深くフィルムの上部表面から持ち上げられて離され、フィルムのみを残す。
【０００５】
米国特許第５，５３１，８５５号明細書「Ｃａｒｒｉｅｒ  Ｄｅｌｉｖｅｒｅｄ  Ｄｒｅｓｓｉｎｇ  ａｎｄ  Ｍｅｔｈｏｄ  ｏｆ  Ｍａｎｕｆａｃｔｕｒｅ」（特許文献１）は、フレーム設計の一例を詳細に記載する。コーティング及びヒートシールを有する、基材材料又はフレームをフィルムに対して非永久的に接着する複数の方法は、該文献中に記載される。フルウィンドウ型のフレームの製造及び取扱いには、課題がある。例えば、製造中、ウィンドウは、材料へとキスカットされる場合、製造中あるいはユーザによってその後除去されなければならない。これは、他の製造段階を求め、工程のコストを増大させる。他の例では、パッチが皮膚上にある際、フレームを剥がす工程を始めるよう利用しやすい端部又はエッジがないため、フルフレームを除去することは、困難であり得る。スリットを有するフレームは、ある程度この問題に対処するものである。即ち、フレームにおけるスリットは、より容易に掴み且つフレーム除去工程を開始するための端部をユーザに与える。しかしながら、スリットをフレームにおいて与えることは、内側ウィンドウ部の除去に関する製造問題を解決しない。
【特許文献１】米国特許第５，５３１，８５５号明細書
【発明の開示】
【発明が解決しようとする課題】
【０００６】
本発明は、ことを目的とする。
【課題を解決するための手段】
【０００７】
本発明の一態様は、医療装置に対する接着裏地を与える。接着側面及び対向する非接着側面を有するコンフォーマブルフィルム裏地、フィルム裏地の非接着側面上に配置される複数要素支持体、及びフィルム裏地の接着側面上に配置されるリリースライナーを有する医療装置に対する接着裏地を与える。本発明の他の態様は、医療用用途の裏地を形成する方法を与える。
【０００８】
本発明の他の態様は、身体機能を検出するよう身体に対して取り付けられる医療装置に対する接着裏地を形成する方法である。非接着側面上の基材及び対向する接着側面上のリリースライナーを有するフィルム裏地は、与えられる。基材は、基材の除去可能部分及び残余部分を与えるよう切断され、基材の除去可能部分は、除去される。接着フィルム裏地は、ある形状に切断され（ｃｕｔ  ｔｏ  ａ  ｓｈａｐｅ）、基材の残余部分から接着フィルム裏地に対する支持体を形成する。支持体は、複数の非隣接部分から形成される。
【発明を実施するための最良の形態】
【０００９】
図２は、本発明の一例に従う医療装置に対する接着裏地２００を示す。フィルム裏地２０４は、接着性である第１の側面２０５、及び非接着性である第２の対向する側面２０６を有する。フィルム裏地２０４は、医療グレード感圧接着を有して（ｗｉｔｈ  ｍｅｄｉｃａｌ  ｇｒａｄｅ  ｐｒｅｓｓｕｒｅ  ｓｅｎｓｉｔｉｖｅ  ａｄｈｅｓｉｖｅ）裏貼りされる薄いポリウレタンフィルム又はフォームから作られ得る。典型的な厚さは、フィルムにおいては０．００１を下回る厚さから０．００３インチまでの範囲、フォームにおいては０．００５インチ乃至０．０１５インチの範囲である。材料の薄く可撓性のある特性により、フィルム裏地２０４は、皮膚と共に伸縮し得、運動中の患者には視覚的に気付かれない。前述された通り、フィルム裏地は、創部ケア包帯から患者の皮膚上へと多種の医療用検出装置を固定するパッチまで多種の医療用途において使用され得る。構成される一実施例において、医療装置は、図１の通り患者の胸部に対して取り付けられる心臓センサであり、ＥＣＧ信号等である心臓信号を検出する。フィルム裏地２０４は、（第１の側面２０５上の）皮膚からフィルム裏地２０４（第２の側面２０６上）の外側まで身体の水分を通し得るよう半透性であるが、外部の水蒸気入れないため、乾燥した皮膚表面を維持することによって皮膚かぶれを最小限に抑える役割を果たす。
【００１０】
製造中に上方にフィルム裏地２０４が成型及び硬化されるリリースライナー２０８は、フィルム裏地２０４が患者に対して適用される際に除去されるまで、第１の側面２０５の接着剤を覆う。図２中に示される通り、複数要素支持体２０９は、空間２３４，２３６によって空間を離される別個の非隣接要素２１０，２１２を有する。要素（ｐｉｅｃｅ）２１０及び２１２は、フィルム裏地２０４の周縁エッジ２３０に対応する形状を有し、内側領域を与える。複数要素支持体２０９は、リリースライナー２０８が患者に対する適用を容易にするよう除去された後に、フィルム裏地２０４に対する支持を与える。フィルム裏地２０４が患者に適用された後、要素２１０，２１２は除去され得る。空間２３４，２３６によって、ユーザは、フィルム裏地２０４が患者の皮膚に対して適用されると、要素２１０，２１２の端部を掴み、それらを非接着性の第２の側面２０６から除去することができる。図２中に示される接着裏地２００の特定の実施例では、空間２３４，２３６に隣接するエッジ２４０は、要素２１０，２１２の除去を容易にするよう丸くされる。しかしながら、他の実施例では、要素２１０，２１２のエッジの特定の形状は、異なり得る。要素２１０，２１２が形成される材料はまた、除去を更に容易にするよう、シリコン等のリリース剤を有してコーティングされ得る。
【００１１】
要素２１０，２１２は、同様の寸法及び形状であり得るか、あるいは図２中に示される通り異なる寸法及び／又は形状にされ得る。図２では、要素２１０は、要素２１２より大きく、適用中の接着裏地２００の向きの指標として使用され得る。空間２３４，２３６は、十分な支持が患者の皮膚に対する接着裏地２００の適用中に与えられるよう、設計され得る。例えば、より大きな支持が所望される場合、接着裏地２００は、より小さな空間２３４，２３６を有して製造され得る。要素２１０，２１２の幅も、同様に調整され得る。より大きな支持がより小さな空間２３４，２３６有することによって与えられるが、以下においてより詳述される通り、製造中に複数要素支持体２０９を形成することはより困難であり得る。空間はまた、要素２１０，２１２に対して使用される材料の種類に従って調整され得、接着裏地２００の製造中に裂けることが少ないより弾力性のある材料を使用する際により小さな空間２３４，２３６を有する複数要素支持体を設計する。
【００１２】
また、図２には、任意のタブ２２０が示される。図２中に示される例では、タブ２２０は、空間２３４にわたって延在するよう非接着性の第２の側面２０６の要素２１２，２１０に対して接着性の第１の側面２０５上に位置付けられ、それによって、リリースライナー２０８が除去される際に接着裏地２００に対して追加的な剛性を与える。図２では１つのみのタブ２２０が示されるが、追加的なタブ２２０は、接着性の第１の側面２０５上に同様に与えられ得る。例えば２つのタブ２２０は、接着性の第１の側面２０５上に位置付けられ得、第１のタブ２２０は、空間２３４にわたって延在し、第２のタブ２２０は、空間２３４にわたって延在する。代替的あるいは追加的に、タブ２２０は、接着性の第１の側面２０５上の他の部分に位置付けられ得る。かかるタブ２２０は、リリースライナー２０８が直接的には取り付けられない周縁エッジ２３０に沿って接着性の第１の側面２０５の領域を覆うことによってリリースライナー２０８の除去を支援するよう、並びにリリースライナー２０８が剥がされ得る開始位置を与え得るよう、使用され得る。タブ２２０はまた、リリースライナー２０８が除去された後に接着裏地２００が適用中に保持され得る接着性の第１の側面２０５上において、非接着領域を与え得る。タブ２２０は、フィルム裏地２０４の接着性の第１の側面２０５に対して貼られる、恒久的、反抗仇敵、又は除去可能部分であり得る。除去可能な場合、タブ２２０は典型的には、フィルム裏地２０４の大部分が既に患者の皮膚に対して取り付けられた後に除去され、タブ２２０の除去後に、フィルム裏地２０４の残余部分が取り付けられる。
【００１３】
追加的なタブ２２４はまた、図２に示される。タブ２２４は、複数要素支持体２０９の要素２１０，２１２に対して取り付けられる。図２に示される通り、タブ２２４は、空間２３６の橋渡しをし、複数要素支持体２０９の剛性を強める。図２には示されていないが、タブは、空間２３４を橋渡しするよう要素２１０，２１２に対して代替的あるいは追加的に取り付けられ得る。タブ２２４は、複数要素支持体と共に除去される。
【００１４】
本発明の一例では、複数要素支持体２０９は、製造中に、フィルム裏地２０４の第２の側面２０６上に与えられるクラフト紙基材（ａ  ｋｒａｆｔ  ｐａｐｅｒ  ｃａｒｒｉｅｒ）から形成される。フィルム裏地２０４の基材が複数要素支持体２０９に対して使用される場合、基材は、内側領域２５０及び空間２３４，２３６を形成するよう切断及び除去される。基材、フィルム裏地２０４、及びリリースライナー２０８は、続いて、切断されて成形される。図２において示される実施例において、接着裏地２００の形状は、一般的に矩形であるが、他の形状も形成され得る。他の材料は、同様に複数要素支持体２０９に対して使用され得る。かかる材料は、ポリエチレン（ＬＤＰＥ又はＨＤＰＥ）、ポリプロピレン、及びポリエステル等であるポリマフィルムを有する。複数要素支持体２０９の要素２１０，２１２はまた、例えば感圧接着剤、コーティング、又はヒートシールを使用する既知である従来の工程を使用して、非接着性の第２の側面２０６に対して非恒久的に接着され得る。
【００１５】
図３Ａ−３Ｃは、（図３Ａ−３Ｃ中斜平行模様で示される）基材を有するフィルム裏地材料３００のロールから医療装置に対する接着裏地２００を形成する工程を示す。図３Ａ中に示される通り、基材は、線３１０，３１２に沿って切断されている。従来のキスカット工程又は他の切断工程は、フィルム裏地３００を切断することなく基材を切断するよう使用され得る。図３Ｂでは、切断された基材材料は、複数の接着裏地２００に対して内側領域２５０及び空間２３４，２３６を形成するよう、フィルム裏地材料３００のロールから除去されている。フィルム裏地２０４は、結果として露出される。内側基材材料は、近接する接着裏地２００の内側基材を接続する空間２３４，２３６に対して切断された基材材料と共に、単一のストリップとして除去され得る。図３Ｃにおいては、個別の接着裏地２００は、所望される形状に対してフィルム裏地材料３００のロールから切断される。複数要素支持体２０９の要素２１０，２１２は、残っている基材材料から形成される。
【００１６】
多種の例において、内側領域２５０は、内側領域２５０からの「ストリップ状」の基材除去を容易にするよう設計される。例えば、内側領域２５０の形状は、鋭角な角部又は「凹状」切断が使用されないよう設計され得る。更には、各支持要素のエッジ２４０には、大きな半径が置かれ得る。大きな半径によって、内部基材は、各接着裏地２００の内側を通って外側まで（ｔｈｒｏｕｇｈ  ｔｈｅ  ｉｎｓｉｄｅ  ａｎｄ  ｂａｃｋ  ｔｏ  ｔｈｅ  ｏｕｔｓｉｄｅ）、外側基材要素（ｏｕｔｅｒ  ｃａｒｒｉｅｒ  ｐｉｅｃｅ）から綺麗に且つ容易に剥がれ得る。更に、全ての内部エッジは、内部基材ストリッピングを容易にするよう設計され得る。例えば、空間２３４，２３６に近い略垂直方向（ｎｅａｒ−ｖｅｒｔｉｃａｌ）又は略水平方向のエッジは、除去されている間にエッジに到達する際の基材の引っ掛け及び引き裂きの可能性を最小限に抑えるよう、僅かな角度を有して設計され得る。基材材料の除去を容易にする他の技術及び設計も、使用され得る。
【００１７】
図４は、本発明の他の例に従う医療装置に対する接着裏地４００の平面図である。接着裏地４００は、全体的に三葉（３つのローブを有する）形状を有する。接着裏地４００の形状は、葉部（ローブ部）において位置付けられる円形電極が患者に対して取り付けられる用途において有利であり得る。
【００１８】
接着裏地４００は、非接着側面（図４中上方に面している）状に配置されるフィルム裏地４０４及び複数要素支持体４０９、並びに接着側面上に配置されるリリースライナー（図示せず）を揺する。複数要素支持体４０９は、間隔４３４，４３６によって間隔をあけられる別個の非隣接要素４１０，４１２を有する。要素４１０及び４１２は、フィルム裏地４０４の周縁エッジ４３０に対応する形状を有し、内側領域４５０を与える。複数要素支持体４０９は、患者の皮膚に対して接着裏地４００を適用する際にリリースライナーが除去された後、フィルム裏地４０４に対する支持を与える。フィルム裏地４０４を患者に対して適用した後、要素４１０，４１２は、除去され得る。空間４３４，４３６により、ユーザは、要素４１０，４１２の端部を掴み、フィルム裏地４０４が患者の皮膚に対して適用され次第、非接着側面から該要素を除去することができる。図４中に示される接着裏地４００の特定の例において、空間４３４，４３６に近接するエッジ４４０は、要素４１０，４１２の除去を容易にするよう丸くされる。更に、複数要素支持体４０９がフィルム裏地４０４の基材から形成され且つ接着裏地４００が「ストリップ状」基材除去を使用して製造される一例においては、略水平方向（図４における向き）のエッジ４６０，４６４は、製造における内側領域４５０からの基材材料の除去中に裂けることを低減するよう、３度角度（３−ｄｅｇｒｅｅ  ａｎｇｌｅ）を有して設計される。
【００１９】
図５Ａ及び５Ｂは、接着裏地４００の他の例を示す。図５Ａは、フィルム裏地４０４、及び要素４１０，４１２を有する複数要素支持体４０９を有する非接着側面を示す。図５Ｂは、上方にタブ４２０及び４２１を配置されたフィルム裏地４０４（リリースライナーは図示されない）の接着側面を示す。タブ２２０（図２）に関して前述された通り、タブ４２０及び４２１は、リリースライナーの除去を容易にするよう、また、接着裏地４００がリリースライナーの除去後に接着剤に接触することなく取り扱われ得る位置を与えるよう、接着側面の一部を覆う。タブ４２０及び４２１はまた、複数要素支持体４０９の剛性を高めるために、夫々ギャップ４３６，４３４にわたって延在するようフィルム裏地４０４の接着側面上に位置付けられる。タブ４２０，４２１は、夫々のタブが境界する周縁エッジ４３０の一部に適合するよう形成される。図５Ｃは、要素４１０，４１２及び空間４３６，４３４に対するフィルム裏地４０４の接着側面上のタブ４２０，４２１を示す。
【００２０】
図６Ａ及び６Ｂは、接着裏地４００の他の例を示す。図６Ａは、フィルム裏地４０４、及び要素４１０，４１２を有する複数要素支持体４０９を有する、非接着側面を示す。図示されるタブ４２４，４２５は、空間４３６，４３４を橋渡しする要素４１０，４１２に対して取り付けられる。タブ４２４及び４２５は、複数要素支持体４０９の合成を高めるよう与えられる。図６Ｂは、フィルム裏地４０４（リリースライナーは図示せず）を有する接着側面を示す。図６Ｃは、要素４１０，４１２及び空間４３６，４３４に対するタブ４２４，４２５の位置を示す。図５Ａ乃至５Ｃ中に示される接着裏地４００の実施例とは対照的に、図６Ａ乃至６Ｃ中に示される接着裏地４００の実施例は、フィルム裏地４０４の非接着側面上に配置される要素４１０，４１２に対して取り付けられるタブ４２４，４２５を使用する。
【００２１】
図７は、本発明の他の例に従う接着裏地７００を示す。接着裏地４００の三葉形状（図４）に類似するが、接着裏地７００は、空間７３４，７３６によって隔てられる「上方」要素７１０及び「下方」要素７１２を有する複数要素支持体７０９を使用する。空間７３４，７３６に近接する要素７１０，７１２のエッジ７４０は、患者の皮膚に対する適用後の要素７１０，７１２の除去を促進するよう形成される。更に、複数要素支持体７０９がフィルム裏地７０４の基材から形成され、且つ接着裏地７００がストリップ状基材除去を使用して製造される一実施例では、エッジ７４０は、製造中における内側領域７５０からの基材材料の除去を更に容易にする。接着裏地４００と同様に、接着裏地７００は、葉部において位置付けられる電極が患者に対して取り付けられる適用において、有利であり得る。
【００２２】
本願では、２つの別個の要素を有する複数要素支持体を示す図２乃至７を参照して、医療用途の接着裏地の例が記載されてきたが、本願に明記されていない例では、より多数の要素が有される。複数の要素は、接着裏地の周縁エッジに沿って位置付けられ得るかあるいは、他の例では内側領域においても位置付けられる部分を有する。
【００２３】
前述において、本発明の特定の例が例証を目的として記載されてきたが、多種の修正は、本願の趣旨及び範囲から逸脱することなくなされ得る。したがって、本発明は、添付の請求項によってのみ制限される。
【図面の簡単な説明】
【００２４】
【図１】接着裏地を有する医療装置を着用する患者の概略図である。
【図２】本発明の一実施例に従う接着裏地及び支持体の組立分解等角図である。
【図３Ａ】図２中の接着裏地の支持体に対する製造工程の段階を概略的に示す。
【図３Ｂ】図２中の接着裏地の支持体に対する製造工程の段階を概略的に示す。
【図３Ｃ】図２中の接着裏地の支持体に対する製造工程の段階を概略的に示す。
【図４】本発明の他の実施例に従う医療装置に対する接着裏地及び支持体の平面図である。
【図５Ａ】本発明の他の実施例に従う医療装置に対する接着裏地及び支持体の平面図である。
【図５Ｂ】本発明の他の実施例に従う医療装置に対する接着裏地及び支持体の平面図である。
【図５Ｃ】図５Ａ及び５Ｂ中の接着裏地の組立分解等角図である。
【図６Ａ】本発明の他の実施例に従う医療装置に対する接着裏地及び支持体の平面図である。
【図６Ｂ】本発明の他の実施例に従う医療装置に対する接着裏地及び支持体の平面図である。
【図６Ｃ】図６Ａ及び６Ｂの接着裏地の組立分解等角図である。
【図７】本発明の他の実施例に従う医療装置に対する接着裏地及び支持体の平面図である。
【図１】
2009508561.tif 000003
【図２】
2009508561.tif 000004
【図３Ａ】
2009508561.tif 000005
【図３Ｂ】
2009508561.tif 000006
【図３Ｃ】
2009508561.tif 000007
【図４】
2009508561.tif 000008
【図５Ａ】
2009508561.tif 000009
【図５Ｂ】
2009508561.tif 000010
【図５Ｃ】
2009508561.tif 000011
【図６Ａ】
2009508561.tif 000012
【図６Ｂ】
2009508561.tif 000013
【図６Ｃ】
2009508561.tif 000014
【図７】
2009508561.tif 000015